(57)【要約】  カップリング用カバー（１）は、軸を連結するカップリング（４０１）を回転可能に収容するカバー本体（１１）を備え、カバー本体（１１）に放熱用のフィン（４１）を設けている。フィン（４１）は、カバー本体（１１）の筒状の周壁（２１）の周面に複数設けられている。周壁（２１）には、カバー本体（１１）の内外を連通する通気孔（２２）が設けられている。周壁（２１）の内周面に設けられたフィン（４１）は、カバー本体（１１）内部に生ずるエアの流れを通気孔（２２）の方向に導くように、軸に直角な平面に対して傾斜している。
2020100905.tif 000002
【特許請求の範囲】
【請求項１】
二つの軸を連結するカップリングを回転可能に収容するカバー本体と、
前記カバー本体に設けられた放熱用のフィンと、
を備えるカップリング用カバー。
【請求項２】
前記カバー本体は、筒状の周壁を備え、
前記フィンは、前記周壁の周面に沿った環状形状で複数設けられている、
請求項１に記載のカップリング用カバー。
【請求項３】
前記フィンは、前記周壁の周面に規則的に配列されている、
請求項２に記載のカップリング用カバー。
【請求項４】
前記周壁は、前記カバー本体の内外を連通する通気孔を備え、
前記フィンは、前記周壁の内周面に設けられ、前記カバー本体内部に生ずるエアの流れを前記通気孔の方向に導くように、軸に直角な平面に対して傾斜している、
請求項２に記載のカップリング用カバー。
【請求項５】
前記周壁の内周面には、前記カバー本体内部に生ずるエアの流れを前記通気孔から前記カバー本体の外部に向けて方向転換するバッフルプレートが設けられている、
請求項１に記載のカップリング用カバー。
【請求項６】
前記バッフルプレートは、前記通気孔における前記エアの流れの下流側で前記周壁の内周面から内方に突出している、
請求項５に記載のカップリング用カバー。
【請求項７】
前記周壁の内周面には、前記フィンが前記通気孔の方向に導く前記エアの流れを前記通気孔から前記カバー本体の外部に向けて方向転換するバッフルプレートが設けられている、
請求項４に記載のカップリング用カバー。
【請求項８】
前記バッフルプレートは、前記通気孔における前記エアの流れの下流側で前記周壁の内周面から内方に突出している、
請求項７に記載のカップリング用カバー。
【請求項９】
前記周壁の周面に複数設けられた放熱用の放熱体を備える、
請求項２に記載のカップリング用カバー。
【請求項１０】
二つの軸を連結するカップリングを回転可能に収容するカバー本体と、
前記カバー本体に設けられた凹凸形状を有する放熱用の放熱体と、
を備えるカップリング用カバー。
【請求項１１】
前記カバー本体は、筒状の周壁を備え、
前記放熱体は、前記周壁の周面に複数設けられている、
請求項１０に記載のカップリング用カバー。
【請求項１２】
前記放熱体は、前記周壁の周面に規則的に配列されている、
請求項１１に記載のカップリング用カバー。
【請求項１３】
前記周壁は、前記カバー本体の内外を連通する通気孔を備え、
複数の前記放熱体は、前記周壁の内周面に列状に並べられて複数の凹凸形状列を形成し、
前記凹凸形状列は、前記カバー本体内部に生ずるエアの流れを前記通気孔の方向に導くように、軸に直角な平面に対して傾斜している、
請求項１１に記載のカップリング用カバー。
【請求項１４】
二つの軸を連結するカップリングを回転可能に収容するカバー本体と、
前記カバー本体に設けられた放熱用のフィンと、
前記フィンの表面に設けられた凹凸形状を有する放熱用の放熱体と、
を備えるカップリング用カバー。
【請求項１５】
前記カバー本体は、筒状の周壁を備え、
前記フィンは、前記周壁の周面に沿った環状形状で複数設けられており、
前記放熱体は、前記フィンの表面に複数設けられている、
請求項１４に記載のカップリング用カバー。
【請求項１６】
前記フィンは、前記周壁の内周面に設けられ、
複数個の前記放熱体は、前記フィンの表面に列状に並べられて複数の凹凸形状列を形成し、
前記凹凸形状列は、前記カバー本体内部に生ずるエアの流れを前記周壁の内周面の方向に導くように、軸と平行な方向の平面に対して傾斜している、
請求項１５に記載のカップリング用カバー。
【発明の詳細な説明】
【技術分野】
【０００１】
本発明は、カップリング用カバーに関する。
【背景技術】
【０００２】
図２４に示すように、カップリング用カバー１０１は、駆動軸２０１から従動軸３０１へ回転トルクを伝達するカップリング４０１をカバーし、カップリング４０１の保護や防音、油の飛散防止などを図っている。
【先行技術文献】
【特許文献】
【０００３】
【特許文献１】特開２００９−１０８９６１号公報
【特許文献２】特開２０１２−０８７９３８号公報
【発明の概要】
【発明が解決しようとする課題】
【０００４】
カップリング用カバー１０１、特にカップリング４０１全体を覆う構造のカップリング用カバー１０１は、カップリング４０１の攪拌抵抗による発熱の除去を妨げ、カップリング４０１やカバー１０１自体を高温にしてしまうことがある。カップリング４０１やカバー１０１が高温になると、材料物性の低下や材料疲労によるカップリング４０１の強度の低下に繋がる。【０００５】
カップリングおよびカップリングカバーの低温化が望まれる。
【課題を解決するための手段】
【０００６】
カップリング用カバーの一態様は、二つの軸を連結するカップリングを回転可能に収容するカバー本体と、前記カバー本体に設けられた放熱用のフィンと、を備える。【０００７】
カップリング用カバーの別の一態様は、二つの軸を連結するカップリングを回転可能に収容するカバー本体と、前記カバー本体に設けられた凹凸形状を有する放熱用の放熱体と、を備える。【０００８】
カップリング用カバーのさらに別の一態様は、二つの軸を連結するカップリングを回転可能に収容するカバー本体と、前記カバー本体に設けられた放熱用のフィンと、前記フィンの表面に設けられた凹凸形状を有する放熱用の放熱体と、を備える。
【発明の効果】
【０００９】
カップリングおよびカップリングカバーの低温化を実現することができる。
【図面の簡単な説明】
【００１０】
【図１】実施の形態１のカップリング用カバーを示す図で、（Ａ）はその中心軸線を含む平面で裁断した断面図、（Ｂ）はその側面図。
【図２】実施の形態２のカップリング用カバーを示す図で、（Ａ）はその中心軸線を含む平面で裁断した断面図、（Ｂ）はその側面図。
【図３】実施の形態３のカップリング用カバーを示す図で、（Ａ）はその中心軸線を含む平面で裁断した断面図、（Ｂ）はその側面図。
【図４】実施の形態４のカップリング用カバーを示す図で、（Ａ）はその中心軸線を含む平面で裁断した断面図、（Ｂ）はその側面図。
【図５】実施の形態５のカップリング用カバーを示す図で、（Ａ）はその中心軸線を含む平面で裁断した断面図、（Ｂ）は（Ａ）におけるＥ−Ｅ線断面図。
【図６】実施の形態６のカップリング用カバーを通気孔の中心線を含む軸直角平面で裁断した要部断面図。
【図７】実施の形態７のカップリング用カバーを通気孔の中心線を含む軸直角平面で裁断した要部断面図。
【図８】（Ａ）は実施の形態５のカップリング用カバーの通気孔をカバー本体の内側から視た図であって図５（Ｂ）におけるＦ方向矢視図、（Ｂ）は実施の形態８のカップリング用カバーの通気孔をカバー本体の内側から視た図、（Ｃ）は実施の形態９のカップリング用カバーの通気孔をカバー本体の内側から視た図。
【図９】（Ａ）は実施の形態１０のカップリング用カバーをその中心軸線を含む平面で裁断した要部断面図、（Ｂ）（Ｃ）は実施の形態１１のカップリング用カバーをその中心軸線を含む平面で裁断した要部断面図。
【図１０】（Ａ）は実施の形態１２のカップリング用カバーをその軸直角平面で裁断した要部断面図、（Ｂ）は実施の形態１３のカップリング用カバーをその軸直角平面で裁断した要部断面図。
【図１１】実施の形態１４のカップリング用カバーを示す図で、（Ａ）はその中心軸線を含む平面で裁断した断面図、（Ｂ）は（Ａ）におけるＧ−Ｇ線断面図。
【図１２】実施の形態１５のカップリング用カバーを示す図で、（Ａ）はその中心軸線を含む平面で裁断した断面図、（Ｂ）は（Ａ）におけるＨ−Ｈ線断面図。
【００１１】
【図１３】（Ａ）は実施の形態１６のカップリング用カバーに備えられる突起の平面図、（Ｂ）（Ｃ）（Ｄ）は実施の形態１７のカップリング用カバーに備えられる突起の平面図。
【図１４】（Ａ）（Ｂ）（Ｃ）は実施の形態１８のカップリング用カバーに備えられる突起の平面図。
【図１５】（Ａ）（Ｂ）（Ｃ）は実施の形態１９のカップリング用カバーに備えられる突起の平面図。
【図１６】（Ａ）（Ｂ）（Ｃ）は実施の形態２０のカップリング用カバーに備えられる突起の平面図、（Ｄ）（Ｅ）（Ｆ）は実施の形態２１のカップリング用カバーに備えられる突起の平面図。
【図１７】（Ａ）（Ｂ）（Ｃ）は実施の形態２２のカップリング用カバーに備えられる突起の平面図、（Ｄ）（Ｅ）（Ｆ）は実施の形態２３のカップリング用カバーに備えられる突起の平面図。
【図１８】（Ａ）（Ｂ）（Ｃ）は実施の形態２４のカップリング用カバーに備えられる突起の平面図、（Ｄ）（Ｅ）（Ｆ）は実施の形態２５のカップリング用カバーに備えられる突起の平面図。
【図１９】（Ａ）（Ｂ）（Ｃ）は実施の形態２６のカップリング用カバーに備えられる突起の平面図、（Ｄ）（Ｅ）は実施の形態２７のカップリング用カバーに備えられる突起の平面図。
【図２０】（Ａ）（Ｂ）（Ｃ）は実施の形態２８のカップリング用カバーに備えられる突起の平面図、（Ｄ）（Ｅ）（Ｆ）は実施の形態２９のカップリング用カバーに備えられる突起の平面図。
【図２１】（Ａ）（Ｂ）（Ｃ）は実施の形態３０のカップリング用カバーに備えられる突起の平面図、（Ｄ）（Ｅ）（Ｆ）は実施の形態３１のカップリング用カバーに備えられる突起の平面図。
【図２２】（Ａ）（Ｂ）（Ｃ）は実施の形態３２のカップリング用カバーに備えられる突起の平面図、（Ｄ）（Ｅ）（Ｆ）は実施の形態３３のカップリング用カバーに備えられる突起の平面図。
【図２３】（Ａ）（Ｂ）（Ｃ）は実施の形態３４のカップリング用カバーに備えられる突起の平面図、（Ｄ）（Ｅ）（Ｆ）は実施の形態３５のカップリング用カバーに備えられる突起の平面図。
【図２４】背景技術で説明したカップリング用カバーの断面図。
【発明を実施するための形態】
【００１２】
図１（Ａ）（Ｂ）〜図２３（Ａ）（Ｂ）（Ｃ）に示すように、本実施の形態のカップリング用カバー１（以下「カバー１」と略称することもある）は、駆動軸から従動軸（何れも図示せず）へ回転トルクを伝達するよう両軸を連結するカップリング４０１をカバーの対象としている。カップリング用カバー１は、カップリング４０１の保護や防音、油やダストの飛散防止などを目的として設置される。本実施の形態では、カップリング４０１としてダイアフラム型カップリングの使用を想定している。実施に際しては、カップリング４０１の種類や仕様は特に限定されない。
【００１３】
カップリング用カバー１は、カップリング４０１の外周側に配置される筒状の周壁２１（以下「カバー周壁２１」と呼ぶこともある）の軸方向両端部にそれぞれフランジ状の端壁３１を設けた形状のカバー本体１１を備え、このカバー本体１１の内部にカップリング４０１を回転可能に収容する。筒状の周壁２１には、その軸方向中央であって円周上一箇所に、カバー本体１１の内外を連通する通気孔（排出口）２２が設けられている。フランジ状の端壁３１のそれぞれその中心軸線上には、駆動軸及び従動軸を回転可能に挿通する軸孔３２が設けられている。
【００１４】
カップリング４０１やカップリング用カバー１は、カップリング４０１の回転に伴って高温になることがある。本実施の形態のカバー１は、放熱機能を持っている。放熱機能を持たせたカップリング用カバー１の各種の実施の形態１−３５を以下に紹介する。
【００１５】
実施の形態１
図１（Ａ）（Ｂ）に示すように、カバー本体１１に複数枚の放熱用のフィン４１が設けられている。フィン４１は、カバー周壁２１の周面に沿った環状の形状を有し、断面三角形に形成されている。このような形状のフィン４１は、軸方向に一定のピッチでカバー周壁２１の外周面に取り付けられている。したがってカバー周壁２１の外周面には、複数枚のフィン４１が規則的に配列されている。カバー周壁２１へのフィン４１の取付けは、例えば溶接による。
【００１６】
実施に際しては、フィン４１はカバー本体１１に一体に設けられていても良い。フィン４１がカバー本体１１に一体に設けられていても良いことは、以下に示す各種の実施の形態でも共通である。
【００１７】
実施の形態２
図２（Ａ）（Ｂ）に示すように、カバー本体１１に複数枚の放熱用のフィン４１が設けられている。フィン４１は、カバー周壁２１の周面に沿った環状の形状を有し、断面長方形に形成されている。このような形状のフィン４１は、軸方向に一定のピッチでカバー周壁２１の外周面に取り付けられている。したがってカバー周壁２１の外周面には、複数枚のフィン４１が規則的に配列されている。
【００１８】
実施の形態３
図３（Ａ）（Ｂ）に示すように、カバー本体１１に複数枚の放熱用のフィン４１が設けられている。フィン４１は、カバー周壁２１の周面に沿った環状の形状を有し、断面長方形に形成されている。このような形状のフィン４１は、軸方向に一定のピッチでカバー周壁２１の外周面および内周面にそれぞれ取り付けられている。したがってカバー周壁２１の外周面および内周面には、複数枚のフィン４１が規則的に配列されている。
【００１９】
実施に際しては、フィン４１はカバー周壁２１の内周面のみに取り付けられても良い。
【００２０】
上記実施の形態１、２および３によれば、カバー本体１１の周壁２１からフィン４１へ一部の熱が伝えられ、カバー１全体としての放熱面積も増大する。したがってカバー本体１１の放熱量が増大し、カップリング４０１によるエアの撹拌抵抗がもたらすカップリング４０１およびカップリングカバー１の発熱温度を低下させることができる。その結果カップリング４０１およびカップリングカバー１の低温化が実現する。
【００２１】
上記実施の形態１、２および３において、フィン４１は帯状の素材をコイル状に巻回したものであっても良い。
【００２２】
実施の形態４
図４（Ａ）（Ｂ）に示すように、本実施の形態のカップリング用カバー１は、上記実施の形態３の構成に加えて、カバー周壁２１の内周面に設けられたフィン４１の角度を、軸方向と直交する角度に対して傾斜させている。説明の便宜上、フィン４１が傾斜する角度を傾斜角度θ１とする。傾斜角度θ１は、次のように説明される。
【００２３】
カバー本体１１の内部のエアは、カップリング４０１の回転に伴って一定の方向に緩やかに流動する。フィン４１の傾斜角度θ１は、カバー本体１１の内部で生じたエアの流れを通気孔２２の方向に導くように、通気孔２２の中心軸線を含むカバー周壁２１の軸に対して直角な平面（以下「軸直角平面２１Ａ」と呼ぶ）に対して設定された角度である。より詳しくは、傾斜角度θ１は、フィン４１と上記軸直角平面２１Ａとの軸方向間隔が通気孔２２と同じ円周上一箇所の位置で最も小さく（Ｌ１）、その１８０度対称位置で最も大きく（Ｌ２）なるように設定されている。換言すると、傾斜角度θ１は、カバー周壁２１の内周面の円周上を通気孔２２に近付くに従って、フィン４１と軸直角平面２１Ａとの間の軸方向間隔が小さくなる向きに設定されている。
【００２４】
この構成によれば、カバー本体１１内部のエアの流れがフィン４１を案内として通気孔２２の方向に導かれるため、外気に対し比較的高熱のエアが通気孔２２からカバー１外部へ放出されやすい。したがってカバー本体１１の放熱量が増大し、カップリング４０１によるエアの撹拌抵抗がもたらすカップリング４０１およびカップリングカバー１の発熱温度をより一層低下させることができる。
【００２５】
実施の形態５
図５（Ａ）（Ｂ）に示すように、本実施の形態のカップリング用カバー１は、上記実施の形態１〜４の構成に加えて、カバー周壁２１の内周面であってエアの流れにおける通気孔２２の下流側にバッフルプレート５１を設けている。図５（Ｂ）に示すように、本実施の形態ではエアが右回り、つまり時計方向に流れるので、図５（Ｂ）中、バッフルプレート５１は通気孔２２の右側に設けられている。
【００２６】
この構成によれば、フィン４１によって導かれるエアの流れがバッフルプレート５１に当たって通気孔２２へ向けて方向転換するため（矢印Ｃ）、エアが通気孔２２から一層放出されやすくなる。したがってカバー本体１１の放熱量が増大し、カップリング４０１によるエアの撹拌抵抗がもたらすカップリング４０１およびカップリングカバー１の発熱温度をより一層低下させることができる。
【００２７】
本実施の形態では上記実施の形態４にバッフルプレート５１を加えた構成例を示したが、上記実施の形態１〜３にバッフルプレート５１を加えても良いことは言うまでもない。
【００２８】
実施の形態６
上記実施の形態５では、バッフルプレート５１が通気孔２２の中心軸線を含むカバー周壁２１の軸を通る軸と平行な方向の平面（以下「軸方向平面２１Ｂ」と呼ぶ）と平行な向きに配置されている一例を示した。図６に示すように、本実施の形態のカップリング用カバー１は、バッフルプレート５１を、軸方向平面２１Ｂに対して傾斜角度θ２をもって配置している。傾斜角度θ２は、図６中、軸方向平面２１Ｂに対してカバー本体１１内でエアの流れる方向に傾く角度に設定されている。
【００２９】
この構成によれば、バッフルプレート５１の傾斜角度θ２によって、通気孔２２へ向けて流れるエア流量がさらに増大する。したがってカバー本体１１の放熱量が増大し、カップリング４０１によるエアの撹拌抵抗がもたらすカップリング４０１およびカップリングカバー１の発熱温度をより一層低下させることができる。
【００３０】
実施の形態７
上記実施の形態５では、バッフルプレート５１が平板状に形成されている一例を示した。図７に示すように、本実施の形態のカップリング用カバー１は、バッフルプレート５１を、その高さ方向に湾曲する曲面状に形成している。バッフルプレート５１の高さ方向は、カバー周壁２１の径方向、図７中の上下方向である。その結果バッフルプレート５１は、通気孔２２から排気されるエアを受ける側に、所定のアール寸法Ｒを有する凹面形状のエア受け面５２を備える。
【００３１】
この構成によれば、エア受け面５２の凹曲面状によってエアの流れが通気孔２２へ向けて方向転換するため、通気孔２２へ向けて流れるエア流量がさらに増大する。したがってカバー本体１１の放熱量が増大し、カップリング４０１によるエアの撹拌抵抗がもたらすカップリング４０１およびカップリングカバー１の発熱温度をより一層低下させることができる。
【００３２】
実施の形態８
上記実施の形態５では、図８（Ａ）に示すように、バッフルプレート５１が平板１枚によって形成されている一例を示した。図８（Ｂ）に示すように、本実施の形態のカップリング用カバー１のバッフルプレート５１は、平板２枚をＶ字状に配置して形成されている。２枚のバッフルプレート５１は、それぞれ平面円形の通気孔２２の接線方向に配置されている。その結果バッフルプレート５１は、通気孔２２から排気されるエアを受ける側に、Ｖ字状に囲まれたエア受け面５２を備える。
【００３３】
この構成によれば、エア受け面５２のＶ字形状によってエアの流れが通気孔２２へ向けて方向転換するため、通気孔２２へ向けて流れるエア流量がさらに増大する。したがってカバー本体１１の放熱量が増大し、カップリング４０１によるエアの撹拌抵抗がもたらすカップリング４０１およびカップリングカバー１の発熱温度をより一層低下させることができる。
【００３４】
実施に際しては、２枚のバッフルプレート５１は、Ｖ字状に形成された１枚のバッフルプレート５１であっても良い。
【００３５】
実施の形態９
上記実施の形態５では、図８（Ａ）に示すように、バッフルプレート５１が平板状に形成されている一例を示した。図８（Ｃ）に示すように、本実施の形態のカップリング用カバー１のバッフルプレート５１は、その幅方向に湾曲する曲面状に形成されている。バッフルプレート５１の幅方向は、カバー周壁２１の周方向、図８（Ｃ）中の上下方向である。その結果バッフルプレート５１は、通気孔２２から排気されるエアを受ける側に、所定のアール寸法を有するエア受け面５２を備える。エア受け面５２は、平面円形の通気孔２２の開口周縁に沿って配置されている。
【００３６】
この構成によれば、エア受け面５２の曲面形状によってエアの流れが通気孔２２へ向けて方向転換するため、通気孔２２へ向けて流れるエア流量がさらに増大する。したがってカバー本体１１の放熱量が増大し、カップリング４０１によるエアの撹拌抵抗がもたらすカップリング４０１およびカップリングカバー１の発熱温度をより一層低下させることができる。
【００３７】
実施の形態１０
図９（Ａ）に示すように、本実施の形態では、カバー本体１１に凹凸形状を有する突起６１が設けられている。突起６１は放熱用に設けられた放熱体として複数設けられており、軸方向および周方向に一定のピッチでカバー周壁２１の内周面に規則的に配置されている。
【００３８】
この構成によれば、カバー本体１１の周壁２１から突起６１へ一部の熱が伝えられ、カバー１全体としての放熱面積も増大する。したがってカバー本体１１の放熱量が増大し、カップリング４０１によるエアの撹拌抵抗がもたらすカップリング４０１およびカップリングカバー１の発熱温度を低下させることができる。その結果カップリング４０１およびカップリングカバー１の低温化が実現する。
【００３９】
実施に際しては、突起６１はカバー周壁２１の外周面に設けられても良く、カバー周壁２１の内周面および外周面の双方に設けられても良い。突起６１はランダムに配置されても良い。突起６１はこれに代えて凹部であっても良く、この場合にはカバー１全体としての放熱面積が増大するため、放熱量が増大し、カップリング４０１やカバー１自体の低温化を実現することが可能である。
【００４０】
実施の形態１１
図９（Ｂ）または（Ｃ）に示すように、本実施の形態では、上記実施の形態１０の構成に加えて、突起６１が複数一列に並べられて凹凸形状列６２を形成しており、この凹凸形状列６２は複数並べられて配列されている。凹凸形状列６２は、本実施の形態では、複数の突起６１が矢印Ｄ方向に一列に並べられた形態を有している。実施に際しては、複数の突起６１は一列に限らず、複数列に並べられて凹凸形状列６２を形成する構成であってもよい。
【００４１】
カバー本体１１の内部のエアは、カップリング４０１の回転に伴って一定の方向に緩やかに流動する。凹凸形状列６２は、カバー本体１１内部のエアの流れを通気孔２２へ導くように、軸直角平面２１Ａに対して傾斜している。このような凹凸形状列６２の傾斜角度は、上記実施の形態４におけるフィン４１と同様に設定されている。
【００４２】
この構成によれば、カバー本体１１内部のエアの流れが凹凸形状列６２に案内され、通気孔２２の方向に導かれるため（矢印Ｄ）、エアが通気孔２２から放出されやすい。したがってカバー本体１１の放熱量が増大し、カップリング４０１によるエアの撹拌抵抗がもたらすカップリング４０１およびカップリングカバー１の発熱温度をより一層低下させることができる。
【００４３】
実施の形態１２
図１０（Ａ）に示すように、本実施の形態では、カバー本体１１に放熱用のフィン４１が設けられている。フィン４１はカバー本体１１の周壁２１に沿って環状に形成されている。このようなフィン４１は複数設けられ、軸方向（図１０（Ａ）中で紙面の直交方向）に一定のピッチでカバー周壁２１の内周面に取り付けられている。フィン４１の表面には、凹凸形状を有する放熱用の放熱体として突起６１が設けられ、突起６１は複数、径方向および周方向に一定のピッチで配列されている。
【００４４】
この構成によれば、カバー本体１１の周壁２１からフィン４１へ一部の熱が伝えられ、フィン４１から突起６１へ一部の熱が伝えられる。カバー１全体としての放熱面積も増大する。したがってカバー本体１１の放熱量が増大し、カップリング４０１によるエアの撹拌抵抗がもたらすカップリング４０１およびカップリングカバー１の発熱温度を低下させることができる。その結果カップリング４０１およびカップリングカバー１の低温化が実現する。
【００４５】
実施に際しては、突起６１はランダムに配置されても良い。突起６１はこれに代えて凹部であっても良い。
【００４６】
実施の形態１３
上記実施の形態１２では、突起６１が複数一列に並べられて凹凸形状列６２を形成し、この凹凸形状列６２がカバー周壁２１の径方向に向けて設けられている一例を示した。図１０（Ｂ）に示すように、本実施の形態は、凹凸形状列６２の向きをスパイラル状に設定している。
【００４７】
この構成によれば、凹凸形状列６２によって案内されるエアの流れがカバー周壁２１の内周面に対して斜めに当たるため、カバー本体１１の内部でエアが周方向に流動しやすくなる。したがってカバー本体１１の放熱量が増大し、カップリング４０１によるエアの撹拌抵抗がもたらすカップリング４０１およびカップリングカバー１の発熱温度をより一層低下させることができる。
【００４８】
実施の形態１４
図１１（Ａ）（Ｂ）に示すように、本実施の形態では、カバー本体１１に複数枚の放熱用のフィン４１が設けられている。フィン４１は、カバー周壁２１の周面に沿った環状の形状を有し、断面長方形に形成されている。このような形状のフィン４１は、軸方向に一定のピッチでカバー周壁２１の外周面および内周面に取り付けられている。したがってカバー周壁２１の外周面には、複数枚のフィン４１が規則的に配列されている。カバー周壁２１へのフィン４１の取付けは、例えば溶接による。
【００４９】
カバー本体１１には、凹凸形状を有する突起６１も設けられている。突起６１は放熱用に設けられた放熱体として複数設けられており、軸方向および周方向に一定のピッチでカバー周壁２１の内周面に規則的に配置されている。
【００５０】
突起６１は、フィン４１の表面にも複数設けられている。フィン４１に設けられた突起６１も、凹凸形状を有する放熱用の放熱体である。
【００５１】
この構成によれば、カバー本体１１の周壁２１からフィン４１へ一部の熱が伝えられ、フィン４１から突起６１へ一部の熱が伝えられる。またカバー本体１１の周壁２１から突起６１へも一部の熱が伝えられる。さらにカバー１全体として放熱面積が増大する。したがってカバー本体１１の放熱量が増大し、カップリング４０１によるエアの撹拌抵抗がもたらすカップリング４０１およびカップリングカバー１の発熱温度を低下させることができる。その結果カップリング４０１およびカップリングカバー１の低温化が実現する。
【００５２】
実施の形態１５
図１２（Ａ）（Ｂ）に示すように、本実施の形態では、カバー本体１１に複数枚の放熱用のフィン４１が設けられている。フィン４１は、カバー周壁２１の周面に沿った環状の形状を有し、断面長方形に形成されている。このような形状のフィン４１は、軸方向に一定のピッチでカバー周壁２１の外周面および内周面に取り付けられている。したがってカバー周壁２１の外周面には、複数枚のフィン４１が規則的に配列されている。カバー周壁２１へのフィン４１の取付けは、例えば溶接による。
【００５３】
カバー本体１１には、凹凸形状を有する突起６１も設けられている。突起６１は放熱用に設けられた放熱体として複数設けられており、軸方向および周方向に一定のピッチでカバー周壁２１の内周面に規則的に配置されている。
【００５４】
突起６１は、フィン４１の表面にも複数設けられている。フィン４１に設けられた突起６１も、凹凸形状を有する放熱用の放熱体である。
【００５５】
本実施の形態のカップリング用カバー１は、カバー周壁２１の内周面に設けられたフィン４１および複数の突起６１による凹凸形状列６２の角度を、軸方向と直交する角度に対して傾斜させている。フィン４１及び凹凸形状列６２の傾斜角度は、次のように説明される。
【００５６】
カバー本体１１の内部のエアは、カップリング４０１の回転に伴って一定の方向に緩やかに流動する。フィン４１および凹凸形状列６２の傾斜角度は、カバー本体１１の内部で生じたエアの流れを通気孔２２の方向へ導くように、通気孔２２の中心軸線を含むカバー周壁２１の軸直角平面２１Ａに対して設定された角度である。このときの傾斜角度は、上記実施の形態４におけるフィン４１および上記実施の形態１１における凹凸形状列６２と同様に設定されている。フィン４１の表面に設けられた突起６１は、上記実施の形態１３と同様に、スパイラル状に形成されている。
【００５７】
以上、実施の形態１〜１５について説明した。これらの各実施の形態で説明した放熱用の放熱体が有する凹凸形状は、突起６１に代えて凹部であっても良い。また、放熱体の凹凸形状は、突起６１および凹部の組み合わせであっても良い。
【００５８】
以下に説明する実施の形態１６〜３５は、上記各実施の形態で放熱用の放熱体が有する凹凸形状として設けられた突起６１の各種の実施の形態である。これらの突起６１も、凹部または突起６１及び凹部の組合せであっても良い。実施の形態１６〜３５を示す図１３（Ａ）（Ｂ）（Ｃ）（Ｄ）〜図２３（Ａ）（Ｂ）（Ｃ）（Ｄ）（Ｅ）（Ｆ）中、矢印はエアの流れの向きを示している。
【００５９】
実施の形態１６
図１３（Ａ）に示すように、突起６１の平面形状が円形とされている。
【００６０】
実施の形態１７
図１３（Ｂ）（Ｃ）（Ｄ）に示すように、突起６１の平面形状が、円形を直径線６３で裁断した半円形とされている。直径線６３はエアの流れに対し平行な向きとされ、或いはほぼ平行な向きとされている。
【００６１】
実施の形態１８
図１４（Ａ）（Ｂ）（Ｃ）に示すように、突起６１の平面形状が、円形を直径線６３で裁断した半円形とされている。直径線６３はエアの流れの上流側に配置され、エアの流れに対し直角な向きとされ、或いはほぼ直角な向きとされている。
【００６２】
実施の形態１９
図１５（Ａ）（Ｂ）（Ｃ）に示すように、突起６１の平面形状が楕円形とされている。楕円形はその長径線６４をエアの流れに対し平行な向きとし、或いはほぼ平行な向きとしている。
【００６３】
実施の形態２０
図１６（Ａ）（Ｂ）（Ｃ）に示すように、突起６１の平面形状が、楕円形を長径線６４で裁断した楕円半分の形状とされている。長径線６４はエアの流れに対し平行な向きとされ、或いはほぼ平行な向きとされている。
【００６４】
実施の形態２１
図１６（Ｄ）（Ｅ）（Ｆ）に示すように、突起６１の平面形状が、楕円形を短径線６５で裁断した楕円半分の形状とされている。短径線６５はエアの流れの上流側に配置され、エアの流れに対し直角な向きとされ、或いはほぼ直角な向きとされている。
【００６５】
実施の形態２２
図１７（Ａ）（Ｂ）（Ｃ）に示すように、突起６１の平面形状が、楕円形を短径線で裁断した楕円半分の部分６６と三角形の部分６７とを組み合わせ、楕円形の短径線と三角形の底辺とを重ね合わせた形状とされている。突起６１は三角形の部分６７をエアの流れの上流の方向に向けている。突起６１の平面形状は線対称形状とされ、その中心線６８をエアの流れに対し平行な向きとし、或いはほぼ平行な向きとしている。
【００６６】
実施の形態２３
図１７（Ｄ）（Ｅ）（Ｆ）に示すように、突起６１の平面形状が、楕円形を短径線で裁断した楕円半分の部分６６と三角形の部分６７とを組み合わせ、楕円形の短径線と三角形の底辺とを重ね合わせた形状とされている。突起６１は三角形の部分６７をエアの流れの下流の方向に向けている。突起６１の平面形状は線対称形状とされ、その中心線６８をエアの流れに対し平行な向きとし、或いはほぼ平行な向きとしている。
【００６７】
実施の形態２４
図１８（Ａ）（Ｂ）（Ｃ）に示すように、突起６１の平面形状が菱形とされている。菱形はその長い方の対角線６９をエアの流れに対し平行な向きとし、或いはほぼ平行な向きとしている。
【００６８】
実施の形態２５
図１８（Ｄ）（Ｅ）（Ｆ）に示すように、突起６１の平面形状が、菱形をその長い方の対角線６９で裁断した菱形半分の三角形状とされている。対角線６９はエアの流れに対し平行な向きとされ、或いはほぼ平行な向きとされている。
【００６９】
実施の形態２６
図１９（Ａ）（Ｂ）（Ｃ）に示すように、突起６１の平面形状が長方形とされている。長方形はその長辺７０をエアの流れに対し平行な向きとし、或いはほぼ平行な向きとしている。
【００７０】
実施の形態２７
図１９（Ｄ）（Ｅ）に示すように、突起６１の平面形状が平行四辺形とされている。平行四辺形はその短辺７１をエアの流れに対し直角な向きとしている。
【００７１】
実施の形態２８
図２０（Ａ）（Ｂ）（Ｃ）に示すように、突起６１の平面形状が台形とされている。台形はその短い方の底辺７２をエアの流れの上流の方向に向けている。底辺７２はエアの流れに対し直角な向きとされ、或いはほぼ直角な向きとされている。
【００７２】
実施の形態２９
図２０（Ｄ）（Ｅ）（Ｆ）に示すように、突起６１の平面形状が台形とされている。台形はその短い方の底辺７２をエアの流れの下流の方向に向けている。底辺７２はエアの流れに対し直角な向きとされ、或いはほぼ直角な向きとされている。
【００７３】
実施の形態３０
図２１（Ａ）（Ｂ）（Ｃ）に示すように、突起６１の平面形状が、台形から三角形を切除した形状とされている。台形と三角形は、台形の長い方の底辺と三角形の底辺とが互いに重なり合うように配置されている。突起６１は台形の短い方の底辺をエアの流れの上流側に配置している。突起６１の平面形状は線対称形状とされ、その中心線７３をエアの流れに対し平行な向きとし、或いはほぼ平行な向きとしている。
【００７４】
実施の形態３１
図２１（Ｄ）（Ｅ）（Ｆ）に示すように、突起６１の平面形状が、台形から三角形を切除した形状とされている。台形と三角形は、台形の長い方の底辺と三角形の底辺とが互いに重なり合うように配置されている。突起６１は台形の短い方の底辺をエアの流れの下流側に配置している。突起６１の平面形状は線対称形状とされ、その中心線７３をエアの流れに対し平行な向きとし、或いはほぼ平行な向きとしている。
【００７５】
実施の形態３２
図２２（Ａ）（Ｂ）（Ｃ）に示すように、突起６１の平面形状が三角形とされ、さらには二等辺三角形とされている。三角形はその底辺７４をエアの流れの下流側に配置し、エアの流れに対し直角な向きとし、或いはほぼ直角な向きとしている。
【００７６】
実施の形態３３
図２２（Ｄ）（Ｅ）（Ｆ）に示すように、突起６１の平面形状が三角形（二等辺三角形）とされている。三角形はその底辺７４をエアの流れの上流側に配置し、エアの流れに対し直角な向きとし、或いはほぼ直角な向きとしている。
【００７７】
実施の形態３４
図２３（Ａ）（Ｂ）（Ｃ）に示すように、突起６１の平面形状が、高さの高い三角形（二等辺三角形）から高さの低い三角形（二等辺三角形）を切除した形状とされている。両三角形はそれぞれの底辺を互いに重なり合わせている。三角形はその頂点７５をエアの流れの上流側へ向けている。突起６１の平面形状は線対称形状とされ、その中心線７６をエアの流れに対し平行な向きとし、或いはほぼ平行な向きとしている。
【００７８】
実施の形態３５
図２３（Ｄ）（Ｅ）（Ｆ）に示すように、突起６１の平面形状が、高さの高い三角形（二等辺三角形）から高さの低い三角形（二等辺三角形）を切除した形状とされている。両三角形はそれぞれの底辺を互いに重なり合わせている。三角形はその頂点７５をエアの流れの下流側へ向けている。突起６１の平面形状は線対称形状とされ、その中心線７６をエアの流れに対し平行な向きとし、或いはほぼ平行な向きとしている。
【００７９】
上記実施の形態１６〜３５において、突起６１はこれに代えて凹部であっても良い。
【符号の説明】
【００８０】
１  カップリング用カバー
１１  カバー本体
２１  周壁
２１Ａ  軸直角平面
２２  通気孔
３１  端壁
３２  軸孔
４１  フィン
５１  バッフルプレート
５２  エア受け面
６１  突起（放熱体）
６２  凹凸形状列
６３  直径線
６４  長径線
６５  短径線
６６  部分
６７  部分
６８  中心線
６９  対角線
７０  長辺
７１  短辺
７２  底辺
７３  中心線
７４  底辺
７５  頂点
７６  中心線
４０１  カップリング
θ１  傾斜角度
θ２  傾斜角度
【図１】
2020100905.tif 000003
【図２】
2020100905.tif 000004
【図３】
2020100905.tif 000005
【図４】
2020100905.tif 000006
【図５】
2020100905.tif 000007
【図６】
2020100905.tif 000008
【図７】
2020100905.tif 000009
【図８】
2020100905.tif 000010
【図９】
2020100905.tif 000011
【図１０】
2020100905.tif 000012
【図１１】
2020100905.tif 000013
【図１２】
2020100905.tif 000014
【図１３】
2020100905.tif 000015
【図１４】
2020100905.tif 000016
【図１５】
2020100905.tif 000017
【図１６】
2020100905.tif 000018
【図１７】
2020100905.tif 000019
【図１８】
2020100905.tif 000020
【図１９】
2020100905.tif 000021
【図２０】
2020100905.tif 000022
【図２１】
2020100905.tif 000023
【図２２】
2020100905.tif 000024
【図２３】
2020100905.tif 000025
【図２４】
2020100905.tif 000026
【国際調査報告】
2020100905.tif 000027
2020100905.tif 000028
2020100905.tif 000029
2020100905.tif 000030